(57)【要約】【課題】    ワカメ採集を楽に能率的にしようとするものである。【解決手段】歯形付きワカメ採集具（タモ）を作る、骨子の丸枠（１）に対し骨子の半丸十字形にして１体形にする、これに歯形（４）を取り付ける、それに外部より網（１２）で覆いかぶせ、骨子の丸枠（１）に取り付ける、さらに角度を調整するために歯形付きワカメ採集具（タモ）と竿（９）を、チョ違い（６）を設け固着する、そしてワカメ採集具（タモ）の骨子の半丸枠（２）から、角度調整アーム（７）で接続し、角度調整用留めチョナットで締め付ける。【選択図】  図  １【実用新案登録請求の範囲】
【請求項１】
歯形（４）を付けた歯形付きワカメ採集具（タモ）
【請求項２】
骨子枠（１）（２）（３）に網（１２）を張ったワカメ採集具（タモ）
【請求項３】
骨子枠（１）（２）（３）と竿（９）の角度調整可能にした歯形付きワカメ採集具（タモ）
【考案の詳細な説明】
【考案の詳細な説明】
【考案の解決しようとする課題】
【０００１】  従来のワカメ取り方法は船の上から箱めがねを片手にして海中を覗きながらもう一方の手で竿の先に鎌を付けた物でワカメの根元を狙って切る、海中を漂うっているワカメを鎌に引っ掛けて引き上げる、しかし必ずしも上手い具合に船の上まで上がるとは限らない、片手作業だけにワカメの切る事はたやすいが、至難の技であります、長時間の作業は出来ないため不能率である。
【考案が解決するための手段】
【０００２】  図面を説明します、図１に示す歯形付きワカメ採集具（タモ）には歯形（４）が取り付けされています、図２、図３で見るように歯形（４）の歯先を骨子の丸枠（１）に対して約３０度出た状態が望ましい。
【０００３】  骨子の丸枠（１）に対して骨子の半丸を十字形に溶接して、１対形にする、そこに網（１２）を張って骨子の丸枠（１）に取り付ける。
【０００４】  歯形付きワカメ採集具（タモ）を竿（持ち手）（９）接続するために特殊チョ違い（６）を設ける、特殊チョ違い（６）に手元金具（１６〉を溶接する、手元金具（１６）を竿（持ち手）（９）差し込む、さらに竿の小口の補強及び割れ防ぐために補強カラー（５）を設ける、又手元金具（１６）と竿（持ち手）（９）を固定するために補強カラー（５）の中心に固定用のノックピンをいれて１体にする。
【０００５】  ワカメは海底の平面（１５）とか岩（１４）にケトラポットなどに生えているために船の上から採集する場合において、歯形付きワカメ採集具（タモ）と竿（持ち手）（９）の角度を自由にするため竿（持ち手）（９）に補強カラー及び角度調整ボルト付き（５Ａ）を固定する、歯形付きワカメ採集具（タモ）の骨子の半丸（２）に角度調整用アーム（７）を設けて、補強カラー及び角度調整ボルト付き（５Ａ）のボルトに角度調整用アーム（７）の角度調整用スリット部分をはめ込んで角度調整用留め蝶ナットで締め付けセットする。
【０００６】  本考案は
【考案の解決しようとする課題】
を解決する、まず覗き用の箱めがねは特別必要としない、船の上からワカメのあるような所はおおよそ透き通って見えます、ワカメを目指して歯形付きワカメ採集具（タモ）を被せて引くだけでワカメの根が切れて、歯形付きワカメ採集具（タモ）の中に完璧に入ってくれるので、後は船の上まで引き上げるだけである，箱めがねも使用しないので両手で引き上げるので、疲れない、能率的である。
【考案の効果】
歯形付きワカメ採集具（タモ）は角度調整が可能なので、ワカメが生えている所が海底（平地）でも岩肌でも、ケトラポット  でもフイットできるので場所を選ばない、刈り取ったワカメが確実に歯形付きワカメ採集具（タモ）の中に入るので効果が抜群である。
【図面の簡単な説明】
【図１】  歯形付きワカメ採集具（タモ）平面図。
【図２】  歯形付きワカメ採集具（タモ）側面図。
【図３】  歯形付きワカメ採集具（タモ）角度付き側面図。
【図４】  歯形付きワカメ採集具（タモ）実施例の側面図。
【図５】  歯形付きワカメ採集具（タモ）角度付き実施例の側面図。
【符号の説明】
１、    骨子の丸枠
２      骨子の半丸枠（網受け）
３、    骨子の半丸枠（網受け）
４、    歯形
５、    竿の補強カラー
５Ａ，  竿の補強カラー及び角度調整用ボルト付き
６      チョ違
７、    角度調整用アーム
８、    角度調整用留めチョウナット
９、    竿（持ち手）
１０、  角度調整スリット
１１、  固定用ノックピン
１２、  アミ
１３，  ワカメ
１４、  岩
１５、  海底辺
１６、  手元金具
【図１】
0003101982.tif 000002
【図２】
0003101982.tif 000003
【図３】
0003101982.tif 000004
【図４】
0003101982.tif 000005
【図５】
0003101982.tif 000006
【手続補正書】
【提出日】平成16年1月10日(2004.1.10)
【手続補正１】
【補正対象書類名】実用新案登録請求の範囲
【補正対象項目名】全文
【補正方法】変更
【補正の内容】
【実用新案登録請求の範囲】
【請求項１】
竿（９）の先端に枠（１）を設け、該枠（１）に歯形状の歯先（４）を取り付けて成るワカメ採集タモ。
【請求項２】
枠（１）に網（１２）を設けたことを特徴とした請求項１記載のワカメ採集タモ。
【請求項３】
竿（９）と枠（１）との角度を調整する手段を設けたことを特徴とした請求項１又は２記載のワカメ採集タモ。
【手続補正２】
【補正対象書類名】明細書
【補正対象項目名】全文
【補正方法】変更
【補正の内容】
【考案の詳細な説明】
【技術分野】
【０００１】  本考案は海中に生えているワカメを容易に採集するタモに関するものである。
【背景技術】
【０００２】  従来のワカメ採りは、船の上から箱めがねを片手で持ちながら海中を覗き、一方の手で竿の先端に付けた鎌でワカメの根本を狙って切り、その後、海中を漂うワカメを該鎌に引っ掛けて船上に引き上げていた。
しかしながら、ワカメを切ることはたやすくても、漂うワカメを船上に引き上げることは至難の技であり、しかも長時間この作業を続けることは困難であり、又、非常に不能率的であった。
【考案の開示】
【考案が解決しようとする課題】
【０００３】  そこで本考案は、切り取ったワカメを海中に漂わすことなく、容易に船上にまで引き上げることができる特殊なワカメ採集タモを提供するものである。
【課題を解決するための手段】
【０００４】  本考案は、上記の課題を達成するために、  竿（９）の先端に枠（１）を設け、該枠に歯形状の歯先（刃先をいう。）を取り付けたワカメ採集タモとか、
更に、切ったワカメを海中に漂わすことのないように、枠（１）に網（１２）を設けたワカメ採集タモとか、
ワカメが生えている地形に適合さすように、竿（１）と枠（９）との角度を調整可能にしたワカメ採集タモを提供した。
尚、これらのタモには図２、図３に示すように、歯形状の歯先（４）が枠（１）よりも外側に突出させることが望ましい。
【考案の効果】
【０００５】  本考案は、ワカメを切る刃先が歯形状にしてあるため、ワカメの根元が刃先（歯先をいう）に引っ掛かり切断が容易になり、又、枠に張られている網の中にワカメが入るので、海中の漂わすことなく船上に引き上げることができるのでその効果は抜群である。
更に、ワカメは平坦な海底とか傾斜している岩肌、又は、テトラポット等に生えているので、これらの地形にフイットするように竿と枠との角度を調整する手段を講じたので、如何なる所でもワカメの採集が可能になり作業効率が上がる。
又、採取場所によっては箱めがねが不要であることから、両手で採集作業が出来るので疲れず長時間採取作業が可能になって高収穫につながる。
【考案を実施するための最良の形態】
【０００６】  本考案の一実施例を図に基づき説明する。
丸枠（１）に半丸の枠（２）（３）を十字形に溶接して一体化し、該枠（１）に歯形状の歯先（４）を枠（１）に対して約３０度外側に出るように取り付け、更に、十字形にした枠（２）（３）部に網（１２）を張り付けた。
該丸枠（１）を竿（９）に取り付ける一手段として、特殊チョ違い（６）（以下特殊蝶番という。）を枠に取り付け、該特殊蝶番（６）に手元金具（１６）を溶接して、該手元金具を竿（９）に差し込んだ。更に、差し込んだ竿の小口の補強と割れを防ぐために補強カラー（５）を設けた。
又、手元金具（１６）と竿（９）とを固定するために補強カラー（５）の中心に固定用のノックピン（１１）を入れた。
枠（１）と竿（９）の角度を自由に調整出来るように竿（９）に角度調整用ボルト付き補強カラー（５Ａ）を設け、該角度調整用ボルト（５Ａ）に角度調整用アーム（７）のスリット部をはめ込んで角度調整用留め蝶ナット（８）を締め付けて固定した。【０００７】  本ワカメ採取タモを使用する方法は、  箱めがねで海中に生えているワカメを覗いてもよいが、船上からワカメのある所がおおよそ透き通って見えるので、そのワカメを目指して枠（１）を被せ引くだけで歯先（４）でワカメの根が切れ、枠内、即ち網の中に切り取ったワカメが完全に入るので、その状態で船上に引き上げればよい。
【図面の簡単な説明】
【０００８】
【図１】本考案のワカメ採集タモの平面図である。
【図２】本考案のワカメ採集タモの側面図である。
【図３】本考案のワカメ採取タモの枠と枠とに角度を付けた状態を示す側面図である。
【図４】本考案のワカメ採集タモを海中の傾斜面で使用している状態を示す側面図である。
【図５】本考案のワカメ採集タモを海中の平坦面で使用している状態を示す側面図である。
【符号の説明】
【０００９】  １    枠
２    半枠
３    半枠
４    歯形状の歯先
５    竿の補強カラー
５Ａ  角度調整用ボルト付き補強カラー
６    蝶番
７    角度調整用アーム
８    角度調整用留め蝶ナット
９    竿
１０    角度調整スリット
１１    ノックピン
１２    網
１３    ワカメ
１４    岩
１５    海底（平坦面）
１６    手元金具